(57)【特許請求の範囲】
【請求項１】
下地材にネジ類によって固定され、最上位に位置する外装材の上端部を該下地材に取付け可能にする外装材取付具であって、
下地材に設けた取付面の上に配置される基板部を有する基板本体と、
基板本体の基板部の上縁から前方に折り曲げられて前方へ延在され、その前方への延在端から下方に折り曲げられ、外装材の上端部の上面に沿って係止する係合爪と、
基板本体の基板部に設けられて該基板部から突出し、斜め上向きでネジ類の頭を受ける勾配面を備えたネジ受け部とを有し、
ネジ受け部の勾配面にネジ孔が穿設された外装材取付具。
【請求項２】
前記基板本体が取付面の上に配置された状態で、前記ネジ受け部が基板本体における前記外装材の上端部の延在方向に沿う幅方向の中央部に位置し、前記係合爪が基板本体における幅方向の中央部を除く両側に設けられてなる請求項１に記載の外装材取付具。
【請求項３】
前記基板本体が取付面の上に配置された状態で、基板本体における幅方向の中央部に、前記ネジ受け部に設けたネジ孔とは異なる他のネジ孔が穿設された請求項１又は２に記載の外装材取付具。
【請求項４】
外装材が下地材に取付けられる建物の外装材取付構造であって、
請求項１〜３のいずれかに記載の外装材取付具が用いられ、
外装材取付具の係合爪が外装材の上端部に係止し、その基板本体が下地材の取付面の上に配置された状態で、外装材取付具のネジ受け部に設けたネジ孔に挿通されるネジ類が、外装材の上端部の上方から斜め下方に向けて該下地材に打ち込まれてなる建物の外装材取付構造。
【請求項５】
第１と第２の２つの外装材が下地材に隣接するように取付けられる建物の外装材取付構造であって、
請求項２に記載の外装材取付具が用いられ、
外装材取付具の両側の係合爪が第１と第２の各外装材の上端部に係止し、その基板本体が下地材の取付面の上に配置された状態で、外装材取付具のネジ受け部に設けたネジ孔に挿通されるネジ類が、第１と第２の２つの外装材の上端部の上方から斜め下方に向けて該下地材に打ち込まれてなる建物の外装材取付構造。
【請求項６】
第１と第２の２つの外装材が下地材に隣接するように取付けられる建物の外装材取付構造であって、
請求項３に記載の外装材取付具が用いられ、
外装材取付具の両側の係合爪が第１と第２の各外装材の上端部に係止し、その基板本体が下地材の取付面の上に配置された状態で、外装材取付具の前記他のネジ孔に挿通されるネジ類が、第１と第２の２つの外装材の目地から該下地材に打ち込まれてなる建物の外装材取付構造。
【発明の詳細な説明】
【技術分野】
【０００１】
本発明は外装材取付具及び建物の外装材取付構造に関する。
【背景技術】
【０００２】
従来、建物の外壁材を下地材に沿って鉛直方向の下から上に向って順次施工し、最上位に位置する外装材の上端部（引用文献１では切断小口）を下地材に取付けるとき、外装材の化粧表面を傷つけることのないように、特許文献１に記載の如くの外装材取付具が用いられている。
【０００３】
特許文献１に記載の外装材取付具は、外装材の上端部に取付けられるクリップ金具と、下地材にビスにより固定されるクリップ受け金具とから構成される。外装材の上端部に取付けられたクリップ金具に形成された掛止め部を、外装材の裏面側で、下地材に固定されたクリップ受け金具の落とし口に係止させることで、外装材を取付け可能にするものである。
【先行技術文献】
【特許文献】
【０００４】
【特許文献１】特許5507395号公報
【発明の概要】
【発明が解決しようとする課題】
【０００５】
特許文献１に記載の外装材取付具は、クリップ金具とクリップ受け金具の２つの部品からなるものであり、部品点数が多く、取扱い性が悪い。
【０００６】
また、下地材にクリップ受け金具をビスにより固定する作業と、外装材の上端部にクリップ金具を取付ける作業と、外装材の裏側でクリップ金具の掛止め部をクリップ受け金具の落とし口に係止させる作業が必要になり、施工作業性も悪い。
【０００７】
本発明の課題は、最上位に位置する外装材の上端部を簡易に下地材に取付けることにある。
【課題を解決するための手段】
【０００８】
請求項１に係る発明は、下地材にネジ類によって固定され、最上位に位置する外装材の上端部を該下地材に取付け可能にする外装材取付具であって、下地材に設けた取付面の上に配置される基板部を有する基板本体と、基板本体の基板部の上縁から前方に折り曲げられて前方へ延在され、その前方への延在端から下方に折り曲げられ、外装材の上端部の上面に沿って係止する係合爪と、基板本体の基板部に設けられて該基板部から突出し、斜め上向きでネジ類の頭を受ける勾配面を備えたネジ受け部とを有し、ネジ受け部の勾配面にネジ孔が穿設されたものである。
【０００９】
請求項２に係る発明は、請求項１に係る発明において更に、前記基板本体が取付面の上に配置された状態で、前記ネジ受け部が基板本体における前記外装材の上端部の延在方向に沿う幅方向の中央部に位置し、前記係合爪が基板本体における幅方向の中央部を除く両側に設けられてなるようにしたものである。
【００１０】
請求項３に係る発明は、請求項１又は２に係る発明において更に、前記基板本体が取付面の上に配置された状態で、基板本体における幅方向の中央部に、前記ネジ受け部に設けたネジ孔とは異なる他のネジ孔が穿設されたものである。
【００１１】
請求項４に係る発明は、外装材が下地材に取付けられる建物の外装材取付構造であって、請求項１〜３のいずれかに記載の外装材取付具が用いられ、外装材取付具の係合爪が外装材の上端部に係止し、その基板本体が下地材の取付面の上に配置された状態で、外装材取付具のネジ受け部に設けたネジ孔に挿通されるネジ類が、外装材の上端部の上方から斜め下方に向けて該下地材に打ち込まれてなるようにしたものである。
【００１２】
請求項５に係る発明は、第１と第２の２つの外装材が下地材に隣接するように取付けられる建物の外装材取付構造であって、請求項２に記載の外装材取付具が用いられ、外装材取付具の両側の係合爪が第１と第２の各外装材の上端部に係止し、その基板本体が下地材の取付面の上に配置された状態で、外装材取付具のネジ受け部に設けたネジ孔に挿通されるネジ類が、第１と第２の２つの外装材の上端部の上方から斜め下方に向けて該下地材に打ち込まれてなるようにしたものである。
【００１３】
請求項６に係る発明は、第１と第２の２つの外装材が下地材に隣接するように取付けられる建物の外装材取付構造であって、請求項３に記載の外装材取付具が用いられ、外装材取付具の両側の係合爪が第１と第２の各外装材の上端部に係止し、その基板本体が下地材の取付面の上に配置された状態で、外装材取付具の前記他のネジ孔に挿通されるネジ類が、第１と第２の２つの外装材の目地から該下地材に打ち込まれてなるようにしたものである。
【発明の効果】
【００１４】
（請求項１、４）
(a)下地材に沿って配置された外装材の上端部を下地材に取付けるに際し、外装材取付具の基板本体から延在させた係合爪を外装材の上端部に係止し、基板本体を下地材の取付面の上に配置した状態で、基板本体から突出させたネジ受け部の斜め上向きの勾配面に穿設したネジ孔にネジ類を挿通し、このネジ類を外装材の上端部の上方から斜め下方に向けて下地材に打ち込む。ネジ類は外装材取付具のネジ受け部の勾配面に直交する方向に打ち込まれ、ネジ類の頭はその勾配面に安定的に着座し、外装材を下地材に安定確実に取付けできる。
【００１５】
(b)外装材取付具は単一部品からなり、取扱い性は良い。
【００１６】
(c)外装材取付具の取付け作業は、全て外装材の表側からなされ、施工作業性も良い。
【００１７】
（請求項２、５）
(d)外装材取付具が、基板本体における幅方向の中央部にネジ受け部を設け、基板本体における幅方向の中央部を除く両側に係合爪を設けた。従って、外装材取付具の基板本体における中央部をネジ類によって下地材に固定した状態で、その固定部位の両側に位置する係合爪を単一（又は相隣る２つ）の外装材の上端部に係止するものになり、外装材を下地材に安定確実に取付けできる。
【００１８】
(e)上述(d)の外装材取付具は、基板本体における幅方向の両側の係合爪を単一の外装材の上端部に係止し、単一の外装材を上述(a)の如くに下地材に取付けできる他、相隣る２つの外装材を下地材に取付けることもできる。即ち、外装材取付具の両側の係合爪を相隣る第１と第２の各外装材の上端部に係止し、その基板本体を下地材の取付面の上に配置した状態で、ネジ受け部のネジ孔に挿通したネジ類をそれらの２つの外装材の上端部の上方から斜め下方に向けて下地材に打ち込み、それらの２つの外装材の目地の両側でそれらの各外装材を下地材に取付けることもできる。
【００１９】
（請求項１、６）
(f)外装材取付具が、基板本体における幅方向の中央部に、ネジ受け部に設けたネジ孔とは異なる他のネジ孔が穿設された。従って、外装材取付具の両側の係合爪を相隣る第１と第２の各外装材の上端部に係止し、上記他のネジ孔に挿通されたネジ類をそれらの２つの外装材の目地から下地材に打ち込み、それらの各外装材を簡易かつ確実に下地材に取付けできる。
【図面の簡単な説明】
【００２０】
【図１】図１は外装材取付具を示す正面図である。
【図２】図２は外装材取付具を示す平面図である。
【図３】図３は図１のIII−III線に沿う断面図である。
【図４】図４は単一の外装材の取付構造を示す正面図である。
【図５】図５は図４のV−V線に沿う断面図である。
【図６】図６は２つの外装材の取付構造を示す正面図である。
【図７】図７は図６のVII−VII線に沿う断面図である。
【発明を実施するための形態】
【００２１】
図１〜図３に示した外装材取付具１０は、ユニット建物等の建物１００における外装材２００をネジ類（本実施例ではビス１）によって、下地材１０１に取付けるものである。本実施例では、下地材１０１が、下地壁１０２と、下地壁１０２が張り設けられる枠材１０３にて構成され、下地壁１０２が外装材取付具１０のための取付面１０１Ａとされる。
【００２２】
外装材取付具１０は、基板本体２０と、係合爪３０と、ネジ受け部４０とを有する。外装材取付具１０は、基板本体２０が下地材１０１の取付面１０１Ａの上に配置された状態で、外装材２００の上端部（雄実）２０１の延在方向に沿う幅方向の中央部で、その延在方向と直交する上下方向に引いた直線状中心線ｃ（図１、図２）に関し、線対称形状をなすものとされている。
【００２３】
基板本体２０は、ステンレス鋼板、メッキ鋼板等の平板材の曲げ成形体であり、下地材１０１の取付面１０１Ａの上に配置される基板部２１と、基板部２１の両側縁から直角に起立された左右の起立片２２、２２と、各起立片２２の起立端から直角に外装材取付具１０の中央部に向けて折り曲げられた左右の支持片２３、２３とを有する。基板本体２０が下地材１０１の取付面１０１Ａの上に配置された状態で、各支持片２３は外装材２００の裏面に接して、外装材２００を支持するものになる。
【００２４】
係合爪３０は、基板本体２０における基板部２１の上縁から基板部２１の面に直交する前方に向けて延在し、外装材２００の上端部２０１の延在方向（幅方向）の一部に係止する。本実施例では、基板本体２０が下地材１０１の取付面１０１Ａの上に配置された状態で、基板本体２０の基板部２１の上縁における幅方向の中央部を除く両側に左右の係合爪３０、３０を設けた。各係合爪３０は、基板本体２０における基板部２１の上縁から直角に前方に向けて折り曲げられ、起立片２２の上端面に沿って支持片２３よりも前方にまで延在される水平片３１と、水平片３１の延在端から斜め下方に向けて折り曲げられる斜め片３２とを有する。基板本体２０の基板部２１が図５に示す如く、下地材１０１の取付面１０１Ａの上に配置され、基板本体２０の支持片２３が外装材２００の裏面に接した状態で、水平片３１は外装材２００の上端部２０１の上面２０１Ａに添い、斜め片３２は外装材２００の上端部２０１において上面２０１Ａに斜交する斜面２０１Ｂに添うものとされる。
【００２５】
従って、外装材取付具１０は、係合爪３０の水平片３１と斜め片３２を外装材２００の上端部２０１における上面２０１Ａと斜面２０１Ｂに添接させることにより、係合爪３０が上端部２０１に上方から嵌合する如くに係止するとともに、基板本体２０の支持片２３が外装材２００の裏面に添接し、外装材２００を支持するものになる。
【００２６】
ネジ受け部４０は、基板本体２０における基板部２１の平板部２１Ｆから前方に向けて突出するように曲げ成形されて設けられている。ネジ受け部４０は基板本体２０の基板部２１に対して斜め上向きに斜交し、ビス１の頭１Ｈを受ける勾配面４１を備える。即ち、ネジ受け部４０の勾配面４１は、基板本体２０が下地材１０１の取付面１０１Ａの上に配置された状態で、下地材１０１の取付面１０１Ａに沿って外装材２００の上端部２０１の延在方向と直交する方向に対して斜め上向きに斜交する。本実施例では、ネジ受け部４０が基板本体２０の基板部２１における幅方向の中央部（両側の係合爪３０、３０に挟まれる打ち込み領域Ｊ（図１）の中央部でもある）に位置するものとされる。勾配面４１と基板部２１との斜交角度は10〜30度が適当であり、本実施例では16度である。
【００２７】
外装材取付具１０は、ネジ受け部４０の勾配面４１にネジ孔４２を穿設して備える。ネジ孔４２の径は、これに挿通されるビス１の外径とほぼ等しくされているため、ビス１は、必然的に勾配面４１に対してほぼ垂直に挿通する。結果として、ビス１は、基板部２１と面で接する下地材１０１の取付面１０１Ａに対して、上方から両側の係合爪３０、３０の間の打ち込み領域Ｊを通って、斜め下方に向けて打ち込まれることになる（図４）。
【００２８】
外装材取付具１０は、基板本体２０が下地材１０１の取付面１０１Ａの上に配置された状態で、基板本体２０の基板部２１の平板部における幅方向の中央部に、ネジ受け部４０に設けたネジ孔４２とは異なる他のネジ孔４３を穿設して備える。ネジ孔４２とネジ孔４３は外装材取付具１０の前述の中心線ｃ上に設けられ、ネジ孔４３はネジ孔４２の下方に位置する。
【００２９】
以下、外装材取付具１０の適用例について説明する。
実施例１（図４、図５）
図４、図５に示した実施例１は、建物１００の外装材２００を下地材１０１に沿って鉛直方向の下から上に向って順次施工し、最上位に位置する外装材２００の上端部２０１を下記(1)〜(3)によって下地材１０１に取付け可能としたものである。
【００３０】
尚、下地材１０１に沿って取付けられる上下の外層材２００は、最下位に位置する外装材２００の下端部が不図示の外装材取付具により下地材１０１に取付けられ、上下方向で相接続される上側外装材２００の下端部（雌実）と下側外層材２００の上端部（雄実）とが雄雌嵌合にて重ね合わされた状態で不図示の外装材取付具により下地材１０１に取付けられる。それらの不図示の外装材取付具としては、例えば特許5507395号公報に記載のもの、或いは特願2014-236028に係るものを使用できる。
【００３１】
(1)最上位に位置された外装材２００の上端部２０１に、外装材取付具１０の左右両側の係合爪３０（水平片３１及び斜め片３２）を前述のようにして嵌合する如くに係止する。
【００３２】
(2)外装材取付具１０における基板本体２０の基板部２１を下地材１０１の取付面１０１Ａの上に配置する。
【００３３】
(3)外装材取付具１０におけるねじ受け部４０の勾配面４１に設けたネジ孔４２に挿通したビス１を、外装材２００の上端部２０１に対する上方から、両側の係合爪３０、３０の間の打込み領域Ｊを通って、斜め下方に向けて下地材１０１（下地壁１０２及び枠材１０３）に打ち込む。
【００３４】
従って、本実施例によれば、以下の作用効果を奏する。
(a)下地材１０１に沿って配置された外装材２００の上端部２０１を下地材１０１に取付けるに際し、外装材取付具１０の基板本体２０から延在させた係合爪３０を外装材２００の上端部２０１に係止し、基板本体２０を下地材１０１の取付面１０１Ａの上に配置した状態で、基板本体２０から突出させたネジ受け部４０の斜め上向きの勾配面４１に穿設したネジ孔４２にビス１を挿通し、このビス１を外装材２００の上端部２０１の上方から斜め下方に向けて下地材１０１に打ち込む。ビス１は外装材取付具１０のネジ受け部４０の勾配面４１に直交する方向に打ち込まれ、ビス１の頭１Ｈはその勾配面４１に安定的に着座し、外装材２００を下地材１０１に安定確実に取付けできる。
【００３５】
(b)外装材取付具１０は単一部品からなり、取扱い性は良い。
【００３６】
(c)外装材取付具１０の取付け作業は、全て外装材２００の表側からなされ、施工作業性も良い。
【００３７】
(d)外装材取付具１０が、基板本体２０における幅方向の中央部にネジ受け部４０を設け、基板本体２０における幅方向の中央部を除く両側に係合爪３０を設けた。従って、外装材取付具１０の基板本体２０における中央部をビス１によって下地材１０１に固定した状態で、その固定部位の両側に位置する係合爪３０を単一の外装材２００の上端部２０１に係止するものになり、外装材２００を下地材１０１に安定確実に取付けできる。
【００３８】
尚、外装材取付具１０は、上記実施例に示したように、基板本体２０における幅方向の両側の係合爪３０を単一の外装材２００の上端部２０１に係止し、単一の外装材２００を上述(a)の如くに下地材１００に取付けできる他、相隣る２つの外装材２００を下地材１００に取付けることもできる。即ち、外装材取付具１０の両側の係合爪３０を相隣る第１と第２の各外装材２００の上端部２０１に係止し、その基板本体２０を下地材１００の取付面１０１Ａの上に配置した状態で、ネジ受け部４０の斜め上向きの勾配面４１に穿設したネジ孔４２に挿通したビス１をそれらの２つの外装材２００の上端部２０１の上方から斜め下方に向けて下地材１００に打ち込み、それらの２つの外装材２００の目地の両側でそれらの各外装材２００を下地材１００に取付けることもできる。
【００３９】
（実施例２）（図６、図７）
図６、図７に示した実施例２が実施例１と異なる点は、外装材取付具１０の基板本体２０における基板部２１の平板部２１Ｆに穿設したネジ孔４３を用いることにより、第１と第２の２つの外装材２００、２００を下記(1)〜(3)によって下地材１０１の上に隣接するように取付け可能にしたことにある。
【００４０】
(1)最上位に位置された第１と第２の各外装材２００の上端部２０１に、外装材取付具１０の左右両側の係合爪３０（水平片３１及び斜め片３２）のそれぞれを前述のようにして嵌合する如くに係止する。
【００４１】
(2)外装材取付具１０における基板本体２０の基板部２１を下地材１０１の取付面１０１Ａの上に配置する。
【００４２】
(3)２つの外装材２００の目地２０２の間で、外装材取付具１０における基板部２１の平板部２１Ｆに設けたネジ孔４３に挿通したビス１を、２つの外装材２００の目地２０２（打ち込み領域Ｋ（図６））から水平方向に向けて下地材１０１（下地壁１０２及び枠材１０３）に打ち込む。
【００４３】
従って、本実施例によれば、実施例１の前述(a)〜(d)の作用効果に加え、以下の作用効果を奏する。
【００４４】
即ち、外装材取付具１０の両側の係合爪３０を相隣る第１と第２の各外装材２００の上端部２０１に係止し、上記他のネジ孔４３に挿通されたビス１をそれらの２つの外装材２００の目地２０２から下地材１０１に打ち込み、それらの各外装材２００を簡易かつ確実に下地材１００に取付けできる。
【００４５】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の外装材取付具は、板材の曲げ成形体からなるものに限らず、金属又は樹脂等のモールド品からなるものでも良い。
【産業上の利用可能性】
【００４６】
本発明によれば、外装材の上端部を簡易に下地材に取付けることができる。
【符号の説明】
【００４７】
１  ビス（ネジ類）
１Ｈ  頭
１０  外装材取付具
２０  基板本体
３０  係合爪
４０  ネジ受け部
４１  勾配面
４２  ネジ孔
４３  他のネジ孔
１００  建物
１０１  下地材
１０１Ａ  取付面
２００  外装材
２０１  上端部
２０２  目地
【図１】
0006411209.tif 000002
【図２】
0006411209.tif 000003
【図３】
0006411209.tif 000004
【図４】
0006411209.tif 000005
【図５】
0006411209.tif 000006
【図６】
0006411209.tif 000007
【図７】
0006411209.tif 000008